(57)【要約】      （修正有）【課題】内部に砂利等の異物が入らないような構造であるとともに、異物等が入っても、ピンをリベットから抜去する際に、異物等が除去できるようにしたプッシュリベットを提供する。【解決手段】連結脚部１１２および分割脚部１１３は、上端部において、内部方向に突設され、先端に向かうに従って内方に傾斜するテーパー面１１５を有する膨出部１１４が成形されている。前記膨出部１１４は、ピンの凹溝と係合し、前記分割脚部１１３を拡径することにより、被取付部材を固定することができる。前記連結脚部１１２は、内方において、前記ピンの軸部先端を覆う大きさの防護片１１９が設けられている。前記防護片は、前記ピンを抜く際に、前記連結脚部１１２が縮径することにより、外形が変形するとともに、前記防護片１１９も動くために、固まった状態で付着した砂利等に外力が与えられ、前記連結脚部１１２をより抜け易い状態にする。【選択図】図１
2011033105.tif 000002
【特許請求の範囲】
【請求項１】
被取付部材を固定する際に、内部に異物が入り難い形状に成形したプッシュリベットにおいて；
挿通孔が設けられているフランジ部と、
前記フランジ部から上方に向かって突設され、頂点において互いに連結されている一対の連結脚部と、
前記連結脚部の内部における上部に設けられた異物の進入を防護する防護片と、
前記フランジ部から上方に向かって、前記一対の連結脚部の間にスリットを形成するように突設されている少なくとも一対の分割脚部と、
前記連結脚部および前記分割脚部の内部方向に突設され、先端に向かうに従って内方に傾斜するテーパー面を有する膨出部と、
から少なくとも構成されているリベット本体と；
前記フランジ部に嵌合する頭部と、
前記頭部から上方に向かって突設されているとともに、内部に空洞が設けられている軸部と、
前記軸部の側部に成形され、前記連結脚部および分割脚部が前記スリットにスライド嵌合するとともに、前記各脚部の膨出部に係合することにより連結脚部を拡径する凹溝と、
から少なくとも構成されているピンと；
を有することを特徴とするプッシュリベット。
【請求項２】
前記防護片は、前記連結脚部の内部に膨大部を備えていることを特徴とする請求項１に記載されたプッシュリベット。
【請求項３】
前記防護片は、前記連結脚部の内部に、複数が備えられていることを特徴とする請求項１に記載されたプッシュリベット。
【請求項４】
前記防護片は、前記連結脚部における高さの異なる位置に設けられていることを特徴とする請求項３に記載されたプッシュリベット。
【請求項５】
前記防護片は、連結脚部の変形を妨げない弾性を備えていることを特徴とする請求項１から請求項４に記載されたプッシュリベット。
【請求項６】
前記防護片は、上部側の下面と、下部側の上面に凸起を設けたことを特徴とする請求項１から請求項５に記載されたプッシュリベット。
【請求項７】
前記防護片は、連結脚部の内部において、互いに連結されて一体に成形されていることを特徴とする請求項１に記載されたプッシュリベット。
【発明の詳細な説明】
【技術分野】
【０００１】
本発明は、砂利等の異物が内部に入らないような形状・構造であるとともに、前記異物等が入っても、ピンをリベット本体から抜去する際に、前記異物等が除去できるようにした構造のプッシュリベットに関するものである。本発明は、二つの被取付部材に設けられた挿通孔に、リベット本体を嵌挿し、その後、前記リベット本体の孔にピンを圧入することにより、前記リベット本体の脚部を拡径して、前記被取付部材を取り付けることができるプッシュリベットに関するものである。
【背景技術】
【０００２】
図７は被取付部材に従来のプッシュリベットを取り付けた状態を説明するための図である。従来のプッシュリベットは、たとえば、特開平５−３０２６０９号公報に記載されているタイプのものがある。図７において、前記プッシュリベット４１は、雌部材４２と、雄部材４３とから少なくとも構成されている。前記雌部材４２は、パネル４５、４６に形成された取付孔４７に挿入する連結脚部４１２と、前記連結脚部４１２の内部に突設されたテーパー面を有する係止突起４１４とから構成されている。前記雄部材４３は、前記連結脚部４１２に成形されているピン進入孔４７に圧入する軸部４２２と、前記軸部４２２に成形され、前記連結脚部４１２の内側に成形された係止突起４１４が係止する凹部４２３とから構成されている。
【０００３】
前記プッシュリベット４１は、前記連結脚部４１２をパネル４５、４６に形成された取付孔４７に挿入した後、ピンの軸部４３を前記連結脚部４１２の内部に圧入する。前記連結脚部４１２は、前記テーパー面を有する係止突起４１４が前記連結脚部４１２を外方に拡径することにより、前記パネル４５、４６に結合される。
【先行技術文献】
【特許文献】
【０００４】
【特許文献１】特開平５−３０２６０９号公報
【発明の概要】
【発明が解決しようとする課題】
【０００５】
図７に記載されたプッシュリベット４１は、雌部材４２に雄部材４３を圧入して、パネル４５、４６に取り付けた後、前記雌部材４２と雄部材４３の嵌合を解除したい場合、砂利等の異物が付着していると、解除が容易にできないという問題があった。また、前記プッシュリベット４１は、フェンダー、タイヤハウス、パンパー等の場所で使用する場合、下方から上方に向けて取り付けられる。前記場所で使用されるプッシュリベット４１は、風雨に晒される場合が多く、砂利、泥、水分等がモルタル状態になり、乾燥して付着、あるいは隙間に入り込む。前記状態のプッシュリベットは、雌部材から雄部材を抜去することができなくなるという問題があった。
【０００６】
以上のような課題を解決するために、本発明は、分割脚部の内部に防護片を設けることにより、リベット本体およびピンに砂利等の異物が進入し難いプッシュリベットを提供することを目的とする。また、本発明は、リベット本体からピンを抜去する際に、付着している砂利等の異物が剥離し易い形状のプッシュリベットを提供することを目的とする。さらに、本発明は、ピンに入った砂利等の異物が排出し易く、リベット本体の分割脚部からピンを抜く際に、前記異物が剥離し易い構造にしたプッシュリベットを提供することを目的とする。
【課題を解決するための手段】
【０００７】
（第１発明）
本発明のプッシュリベットは、被取付部材を固定する際に、内部に異物が入り難い形状に成形したものであり、；
挿通孔が設けられているフランジ部と、前記フランジ部から上方に向かって突設され、頂点において互いに連結されている一対の連結脚部と、前記連結脚部の内部における上部に設けられた異物の進入を防護する防護片と、前記フランジ部から上方に向かって、前記一対の連結脚部の間にスリットを形成するように突設されている少なくとも一対の分割脚部と、前記連結脚部および前記分割脚部の内部方向に突設され、先端に向かうに従って内方に傾斜するテーパー面を有する膨出部とから少なくとも構成されているリベット本体と；
前記フランジ部に嵌合する頭部と、前記頭部から上方に向かって突設されているとともに、内部に空洞が設けられている軸部と、前記軸部の側部に成形され、前記連結脚部および分割脚部が前記スリットにスライド嵌合するとともに、前記各脚部の膨出部に係合することにより連結脚部を拡径する凹溝とから少なくとも構成されているピンと；
を有することを特徴とする。
【０００８】
（第２発明）
第２発明のプッシュリベットにおいて、前記防護片は、前記連結脚部の内部に膨大部を備えていることを特徴とする。
【０００９】
（第３発明）
第３発明のプッシュリベットにおいて、前記防護片は、前記連結脚部の内部に、複数が備えられていることを特徴とする。
【００１０】
（第４発明）
第３発明のプッシュリベットにおいて、前記防護片は、前記連結脚部における高さの異なる位置に設けられていることを特徴とする。
【００１１】
（第５発明）
第５発明のプッシュリベットにおいて、前記防護片は、連結脚部の変形を妨げない弾性を備えていることを特徴とする。
【００１２】
（第６発明）
第６発明のプッシュリベットにおいて、前記防護片は、上部側の下面と、下部側の上面に凸起を設けたことを特徴とする。
【００１３】
（第７発明）
第７発明のプッシュリベットにおいて、前記防護片は、連結脚部の内部において、互いに連結されて一体に成形されていることを特徴とする。
【発明の効果】
【００１４】
本発明によれば、連結脚部の内部に防護片を設けることにより、リベット本体およびピンに砂利等の異物が進入し難い構造にした。
【００１５】
本発明によれば、連結脚部および分割脚部は、先端に向かうに従って内方に傾斜するテーパー面を有する膨出部が成形されているため、ピンに成形されている凹溝と係合し、前記連結脚部を拡径することにより、被取付部材の挿通孔に容易に固定される。
【００１６】
本発明によれば、前記ピンの軸部は、内部の横方向に貫通する空洞が設けられているため、前記軸部を抜去する際に、砂利等の異物が内部に入っていても、剥がれ易く、前記空洞から排出し易い構造になっている。
【００１７】
本発明によれば、プッシュリベットは、ピンを下方に抜く際に、連結脚部と分割脚部とによってできるスリットの構造により、砂利等が剥がれ易く、かつ、抜け易い構造になっている。
【００１８】
本発明によれば、連結脚部は、内部において、互いに対向した位置に防護片が設けられているため、プッシュリベットにおけるリベット本体とピンとを結合させる際の弾性による結合強度を所望の固さに設計することが容易にできる。
【図面の簡単な説明】
【００１９】
【図１】（イ）および（ロ）は本発明の実施例であり、被取付部材の取付孔に嵌合するリベット本体の構造を説明するための異なる方向から見た一部断面図である。（実施例１）
【図２】（イ）および（ロ）は本発明の実施例であり、被取付部材の取付孔に嵌合するリベット本体の構造を説明するための斜視図である。（実施例１）
【図３】（イ）および（ロ）は本発明の実施例であり、ピンの構造を説明するための異なる方向から見た図である。（実施例１）
【図４】（イ）本発明の実施例であり、ピンの構造を説明するための上面図、（ロ）は斜視図である。（実施例１）
【図５】本発明の実施例であるリベット本体とピンをパネルに圧入した状態を説明するための図である。
【図６】本発明の他の実施例であるリベット本体に設けられた防護片が互いに連結された状態の例を説明するための図である。（実施例２）
【図７】被取付部材に従来のプッシュリベットを取り付けた状態を説明するための図である。
【発明を実施するための最良の形態】
【００２０】
（第１発明）
本発明は、たとえば、フェンダー、タイヤハウス、バンパー等風雨、あるいは泥や埃等に曝される場所に使用する取り付け具であり、被取付部材に対して、上方に向かって固定するプッシュリベットに関するものである。また、本発明のプッシュリベットは、上下反対に使用することも可能である。特に、本発明のプッシュリベットは、砂利等の異物がプッシュリベットの内部に入った場合、解体する際に、内部に侵入して、付着していた異物を剥がして、排出し易い形状にしたものである。
【００２１】
本発明のプッシュリベットは、リベット本体と、前記リベット本体に圧入するピンとから構成されており、リベット本体を重ねられた被取付部材の開孔部に挿入した後、ピンを前記リベット本体の孔に圧入することで、前記二つの被取付部材が固定される。前記リベット本体は、フランジ部と、連結脚部と、分割脚部と、防護片と、膨出部とから少なくとも構成されている。また、前記ピンは、頭部と、軸部と、凹溝、空洞部とから少なくとも構成されている。
【００２２】
前記リベット本体のフランジ部は、フランジの中央部に前記ピンを圧入する挿通孔が成形されている。前記連結脚部は、少なくとも一対が前記フランジ部の基部から上方に向かって一体に突設され、最上部において連結されている。また、前記連結脚部は、ピンとの係合に際するバネ性を考慮して長さ、幅、厚さ等が決められている。前記分割脚部は、前記フランジ部の基部から上方に向かって、前記一対の連結脚部の間にスリットを形成するように一体に突設されている。また、前記分割脚部は、前記連結脚部の間に複数対を一体に設けることができる。
【００２３】
前記連結脚部および前記分割脚部は、上端部において、内部方向に突設され、先端に向かうに従って内方に傾斜するテーパー面を有する膨出部が成形されている。前記膨出部は、後述するピンの凹溝と係合し、前記分割脚部を拡径することにより、被取付部材を固定することができる。前記連結脚部は、内方において、前記ピンの軸部先端を覆う大きさの防護片が設けられている。前記防護片は、前記ピンを抜く際に、前記連結脚部が縮径することにより、外形が変形するとともに、前記防護片も動くために、固まった状態で付着した砂利等に外力が与えられ、前記連結脚部をより抜け易い状態にする。
【００２４】
前記ピンは、頭部と、軸部と、凹溝と、空洞とから少なくとも構成されている。前記頭部は、前記リベット本体のフランジに設けられた挿通孔に嵌合して固定される形状をしている。前記軸部は、前記頭部の基部から上方に向かって一体に突設されているとともに、内部の横方向に貫通する空洞が設けられている。砂利等の異物は、前記空洞の内部に入っても、前記ピンを解除した場合に、剥がれ易く、前記空洞から排出し易い構造になっている。
【００２５】
また、前記軸部は、断面がほぼ方形に成形され、その角部が前記連結脚部および分割脚部によって成形される前記スリットにスライド嵌合するととも、前記角部によって凹溝が成形されている。前記軸部は、前記リベット本体に圧入され、前記スリットと、前記連結脚部および分割脚部に沿って移動し、前記連結脚部および／または前記分割脚部の膨出部に係合しながら、前記連結脚部および／または前記分割脚部を拡径する。前記軸部は、段部を設けることができ、たとえば、連結脚部における膨出部が乗り越えた後に受け入れられる。
【００２６】
前記軸部は、側部に沿って凹溝が設けられているため、断面形状が方形から構成されることが望ましい。また、凹溝を構成する４つの角部は、前記連結脚部および分割脚部によって形成されるスリットをガイドにして圧入および抜去することができる。
【００２７】
（第２発明）
第２発明のプッシュリベットにおいて、前記防護片は、前記連結脚部の内部に膨大部を備えている。前記膨大部は、ピンの先端部とほぼ同じか、やや大きめの平面である。前記リベット本体とピンとを嵌合した場合、前記膨大部は、前記ピンの先端部を覆う大きさのもので、ピンの内部に異物が入るのを防止するためのものである。
【００２８】
（第３発明）
第３発明のプッシュリベットにおいて、前記防護片は、前記連結脚部の内部から複数個が設けられる。また、前記防護片は、前記リベット本体とピンとを嵌合した場合、前記軸部の先端部により、上方に押し上げるように作用する。前記防護片は、前記リベット本体とピンの嵌合を解除した場合、押し上げられていた状態から、元の位置に戻る力が働くため、付着されていた異物等を剥離することができる。
【００２９】
（第４発明）
第４発明のプッシュリベットにおいて、前記防護片は、前記連結脚部の異なる高さ位置で、互いに一部が重なり合うように設けられている。前記防護片は、前記リベット本体とピンの嵌合を解除して元の位置に戻る際に、前記重ねられた位置が変わるため、付着されていた異物等を剥離することができる。
【００３０】
（第５発明）
第５発明のプッシュリベットにおいて、前記防護片は、連結脚部が拡径または縮径する際の変形を妨げない弾性を持たせている。前記防護片は、前記リベット本体とピンの嵌合および解除に際し、前記連結脚部に弾性を持たせるとともに、付着された異物を剥離するための動きを行うことができる。
【００３１】
（第６発明）
第６発明のプッシュリベットにおいて、前記防護片は、前記連結脚部の両側から突出しており、一方の上部側の下面と、他方の下部側の上面に凸起が設けられている。前記凸起は、前記連結脚部が拡縮または拡径する際に変形し、固まった異物自体を動かして、剥離し易くしている。
【００３２】
（第７発明）
第７発明のプッシュリベットにおいて、前記防護片は、連結脚部の内部において、互いに連結されて一体に成形されている。前記防護片と連結脚部は、適度に変形し、リベット本体と、ピンとの連結および解体に都合のよいバネ性を有するように一体に成形されている。
【実施例１】
【００３３】
本発明は、第１実施例であるプッシュリベットを図１から図５にしたがって説明する。本発明のプッシュリベットは、たとえば、フェンダー、タイヤハウス、バンパー等風雨、あるいは泥や埃等に曝される場所に使用する取り付け具であり、被取付部材に対して、上方に向かって固定するものである。また、本発明のプッシュリベットは、図１から図５に示す方向と上下反対に使用することも可能である。特に、本発明のプッシュリベットは、砂利等の異物がプッシュリベットの内部に入り難く、たとえ、入った場合でも、解体する際に、前記異物を排出し易い形状にしたものである。
【００３４】
本発明のプッシュリベットは、リベット本体（図１および図２参照）と、前記リベット本体に圧入するピン（図３および図４参照）とから構成されている。前記リベット本体は、重ねられた被取付部材の開孔部に嵌挿した後、ピンを前記リベット本体の孔に圧入することで、前記二つの被取付部材が固定される（図５参照）。
【００３５】
図１（イ）および（ロ）は本発明の実施例であり、被取付部材の取付孔に嵌合するリベット本体の構造を説明するための異なる方向から見た一部断面図である。図２（イ）および（ロ）は本発明の実施例であり、被取付部材の取付孔に嵌合するリベット本体の構造を説明するための斜視図である。図１および図２において、前記リベット本体１１は、フランジ部１１１と、連結脚部１１２と、分割脚部１１３、１１３′と、それぞれの内部に設けられた膨出部１１４とから少なくとも構成されている。前記膨出部１１４は、符号１１４−１、１１４−２、１１４−３、１１４−４がほぼ同じ位置に成形されている。
【００３６】
前記リベット本体１１のフランジ部１１１は、フランジの中央部に前記ピン（図３、図４符号２１参照）を圧入する挿通孔１１８が成形されている。前記連結脚部１１２は、前記フランジ部１１１の基部から上方に向かって一体に突設されており、上部において連結されている。前記連結脚部１１２は、前記連結部の上部において、連結突部１１２′が設けられており、前記ピン２１と係合する際のバネ性を考慮してこれらの長さ、幅、厚さ、膨らみ等が決められている。
【００３７】
前記連結脚部１１２は、上部において、内方の両側から突出するとともに、ピン（図３、図４参照）の軸部先端を覆う大きさの防護片１１９、１１９′が設けられている。前記防護片１１９、１１９′は、砂利等の異物の侵入を防護するだけでなく、前記ピンを抜く際に、前記連結脚部１１２が縮径することにより、外形が変形するとともに、前記防護片１１９、１１９′も動くために、固まった状態で付着した砂利等に外力が与えられ、前記連結脚部１１２をより抜け易い状態にする。
【００３８】
前記防護片１１９、１１９′は、ピンの先端部とほぼ同じか、やや大きめの平面である。前記防護片１１９、１１９′は、先端部に下方向きの膨大部１２０と、上方向きの膨大部１２０′を備えることができる。前記膨大部１２０、１２０′の下端または上端には、前記防護片１１９、１１９′が互いに接触するような形状の小突起１２１、１２１′が形成されている。
【００３９】
前記リベット本体１１にピン２１を圧入した場合、前記防護片１１９、１１９′は、前記ピン２１の先端部を覆うとともに、前記小突起１２１、１２１′が接触し、内部に異物が入るのを防止することができる。また、前記膨大部１２０、１２０′および小突起１２１、１２１′は、ピン２１を抜く際に、互いに変形することにより、前記防護片１１９、１１９′近傍の砂利等の異物を剥がすことができる。
【００４０】
また、前記防護片１１９、１１９′は、図において、２個の場合であり、１個または３個以上にすることができる。前記連結脚部の内部から複数個が設けられる。また、前記防護片１１９、１１９′は、前記リベット本体１１にピン２１を圧入した場合、後述するピンの軸部の先端部により、上方に押し上げるように作用する。前記防護片１１９、１１９′は、前記リベット本体１１とピン２１の嵌合を解除した場合、押し上げられていた状態から、元の位置に戻る力が働くため、付着されていた異物等を剥離することができる。
【００４１】
前記防護片１１９、１１９′は、前記連結脚部１１２の異なる高さ位置で、互いに一部が重なり合うように設けられている。前記防護片１１９、１１９′は、前記リベット本体１１とピン２１の嵌合を解除して元の位置に戻る際に、前記重ねられた位置が変わるため、付着されていた異物等を剥離することができる。
【００４２】
前記防護片１１９、１１９′は、連結脚部１１２が拡径または縮径する際の変形を妨げない弾性を持たせている。前記防護片１１９、１１９′は、前記リベット本体１１とピン２１の嵌合および解除に際し、前記連結脚部１１２に弾性を持たせるとともに、付着された異物を剥離するための動きを行うことができる。
【００４３】
前記分割脚部１１３、１１３′は、前記フランジ部１１１の基部から上方に向かって、前記一対の連結脚部１１２の間にスリット１１６、１１６′を形成するように一体に突設されている。また、前記分割脚部１１３、１１３′は、図において、一対であるが、前記連結脚部１１２の間に複数対を一体に設けることができる。また、前記分割脚部１１３、１１３′は、ほぼ頂部において、前記連結脚部１１２の膨出部１１４が同じ位置になるように設けられている。
【００４４】
前記連結脚部１１２および前記分割脚部１１３、１１３′は、上端部において、内部方向に突設され、先端に向かうに従って内方に傾斜するテーパー面１１５を有する膨出部１１４が成形されている。前記膨出部１１４は、後述するピン２１の凹溝と係合し、前記連結脚部１１２を拡径することにより、被取付部材を固定することができる。前記膨出部１１４は、図において、符号１１４−１、１１４−２、１１４−３、１１４−４として示されている。
【００４５】
図３（イ）および（ロ）は本発明の実施例であり、ピンの構造を説明するための異なる方向から見た図である。図４（イ）は本発明の実施例であり、ピンの構造を説明するための上面図、（ロ）は斜視図である。図３および図４において、ピン２１は、頭部２１１と、軸部２１２と、凹溝２１５、２１５′と、空洞部２１４、２１４′とから少なくとも構成されている。前記頭部２１１は、前記リベット本体１１のフランジ１１１に設けられた挿通孔１１８に嵌合して固定される形状をしている。
【００４６】
前記軸部２１２は、前記頭部２１１の基部から上方に向かって一体に突設されているとともに、内部の横方向に貫通する空洞部２１４、２１４′が設けられている。砂利等の異物は、前記空洞部２１４、２１４′の内部に入り、さらに、奥に入らない構造になっている。また、前記砂利等の異物は、前記リベット本体１１から前記ピンを解除した場合に、剥がれ易く、前記空洞部２１４、２１４′から排出し易い構造になっている。
【００４７】
また、前記軸部２１は、断面がほぼ方形に成形され、その角部２１３−１、２１３−２、２１３−３、２１３−４が前記連結脚部１１２および分割脚部１１３、１１３′によって成形される前記スリット１１６にスライド嵌合するとともに、前記角部２１３−１、２１３−２、２１３−３、２１３−４の間に凹溝２１５、２１５′が成形されている。
【００４８】
前記軸部２１は、前記リベット本体１１に圧入され、前記スリット１１６と、前記連結脚部１１２および分割脚部１１３、１１３′に沿って移動し、前記連結脚部１１２および／または前記分割脚部１１３、１１３′の膨出部１１４に係合しながら、前記連結脚部１１２を拡径する。前記軸部２１は、凹溝２１５′に凸起部２１６を設け、その上部に段差部２１７′を設ける。前記段差部２１７′は、連結脚部１１２における膨出部１１４が乗り越えた後に受け入れる場所となり、前記リベット本体１１から分離ができないようにする。前記リベット本体１１とピン２１との抜去は、前記段差部２１７′をの乗り越えるだけの外力を与えることにより達成できる。
【００４９】
前記軸部２１は、側部に凹溝２１５、２１５′、凸起部２１６が設けられているため、断面形状が方形から構成されることが望ましい。また、凹溝２１５、２１５′、凸起部２１６、段差部２１７′等を構成する４つの角部は、前記連結脚部１１２および分割脚部１１３、１１３′によって形成されるスリット１１６、１１６′をガイドにして圧入および抜去することができる。
【００５０】
前記リベット本体１１とピン２１の構造および形状は、砂利等の異物の付き具合、あるいは前記ピン２１をリベット本体１１から解除する際の前記異物等の剥がれ具合を試行錯誤によって得られたものである。
【００５１】
図５は本発明の実施例であるリベット本体とピンをパネルに圧入した状態を説明するための図である。図５において、パネル３１、３２は、貫通孔３３が設けられている。前記リベット本体１１は、前記貫通孔３３に嵌挿された後、ピン２１が圧入される。前記ピン２１の圧入は、連結脚部１１２を拡径させ、パネル３１、３２を取り付けることができる。
【００５２】
前記分割脚部１１３、１１３′、および連結脚部１１２の形状は、上端に向かうに従って幅広となるテーパー面１１５が成形されている。前記形状の分割脚部１１３、１１３′、および連結脚部１１２は、前記ピン２１を下方に抜く際に、下方に行くにしたがい、徐々に幅が狭くなるため、スリット１１６、１１６′との隙間が徐々に大きくなり、砂利等が剥がれ易く、かつ、抜け易くなる。
【実施例２】
【００５３】
図６は本発明の他の実施例であるリベット本体に設けられた防護片が互いに連結された状態の例を説明するための図である。図６において、連結脚部６１は、内部上部に前記防護片６２が設けられている。前記防護片６２は、前記連結脚部６１と一体になっており、図示のように山形となり、中央部に膨大部６２１が設けられている。前記膨大部６２１は、連結突部６１１とともに、リベット本体の弾性を決めることができる。前記防護片６２と連結脚部６１は、適度に変形し、リベット本体と、ピンとの連結および解体に都合のよいバネ性を有するように一体に成形されている。
【００５４】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明のプッシュリベットは、特許請求の範囲に記載された事項を逸脱しない限り、リベット本体、ピンの形状および材質が変更できることはいうまでもない。
【符号の説明】
【００５５】
１１・・・リベット本体
１１１・・・フランジ
１１２・・・連結脚部
１１２′・・・連結突部
１１３、１１３′・・・分割脚部
１１４・・・膨出部
１１５・・・テーパー面
１１６・・・スリット
１１８・・・挿通孔
１１９、１１９′・・・防護片
１２０、１２０′・・・膨大部
１２１、１２１′・・・小凸起
２１・・・ピン
２１１・・・頭部
２１２・・・軸部
２１３・・・スリット嵌入突部
２１４・・・空洞部
２１５・・・凹溝
２１６・・・凸起部
２１７・・・段差部
【図１】
2011033105.tif 000003
【図２】
2011033105.tif 000004
【図３】
2011033105.tif 000005
【図４】
2011033105.tif 000006
【図５】
2011033105.tif 000007
【図６】
2011033105.tif 000008
【図７】
2011033105.tif 000009